(57)【要約】【課題】  波長多重光増幅中継伝送システムにおいて、フォトディテクタと光減衰器を用いた光レベル制御を改善し、より精度の高い光レベル調整を高速で行う。【解決手段】  フォトディテクタ２０３−ｉは、各波長の光レベルをモニタし、モニタ値が記憶媒体２０９に記憶された目標値ｉに近づくように、各波長の可変光減衰器２０２−ｉを制御する。スペクトラムアナライザ２０６は、光増幅器２０５から出力される各波長の光レベルを一括でモニタし、ＣＰＵ２０８は、そのモニタ値に応じて目標値ｉを更新する。【選択図】  図２
2006101470.tif 000002
【特許請求の範囲】
【請求項１】
光損失媒質と該光損失媒質による損失を補償するための光増幅手段を含む光伝送路を介して、複数の波長の光が多重された波長多重光を伝送する光伝送装置であって、
各波長の光レベルの目標値を記憶する記憶手段と、
各波長の光レベルをモニタする第１のモニタ手段と、
前記第１のモニタ手段のモニタ値が前記記憶手段に記憶された目標値に近づくように、各波長の光レベルを調節する光減衰手段と、
調節された各波長の光を合波する合波手段と、
合波後の各波長の光レベルを一括でモニタする第２のモニタ手段と、
前記第２のモニタ手段のモニタ値に応じて、前記記憶手段に記憶された目標値を更新する制御手段と
を備えることを特徴とする光伝送装置。
【請求項２】
光損失媒質と該光損失媒質による損失を補償するための光増幅手段を含む光伝送路を介して、複数の波長の光が多重された波長多重光を伝送する光伝送装置であって、
各波長の光レベルの目標値を記憶する記憶手段と、
各波長の光レベルをモニタするモニタ手段と、
前記モニタ手段のモニタ値が前記記憶手段に記憶された目標値に近づくように、各波長の光レベルを調節する光減衰手段と、
調節された各波長の光を合波する合波手段と、
合波後の各波長の光信号対雑音比を一括でモニタすることにより取得された光信号対雑音比の情報を受け取り、該光信号対雑音比の情報に応じて、前記記憶手段に記憶された目標値を更新する制御手段と
を備えることを特徴とする光伝送装置。
【請求項３】
光損失媒質と該光損失媒質による損失を補償するために利得一定制御を行う光増幅手段を含む光伝送路を介して、複数の波長の光が多重された波長多重光を伝送する光伝送装置であって、
各波長の光レベルの目標値を記憶する記憶手段と、
各波長の光レベルをモニタする第１のモニタ手段と、
前記第１のモニタ手段のモニタ値が前記記憶手段に記憶された目標値に近づくように、各波長の光レベルを調節する光減衰手段と、
調節された各波長の光を合波する合波手段と、
合波後の各波長の光レベルまたは光信号対雑音比を一括でモニタする第２のモニタ手段と、
前記光増幅手段の入力側または出力側において、合波後のトータルパワーの光レベルをモニタする第３のモニタ手段と、
前記第２および第３のモニタ手段のモニタ値に応じて、前記記憶手段に記憶された目標値を更新する制御手段と
を備えることを特徴とする光伝送装置。
【請求項４】
光損失媒質と該光損失媒質による損失を補償するための光増幅手段を含む光伝送路を介して、複数の波長の光が多重された波長多重光を伝送する光伝送方法であって、
各波長の光レベルをモニタし、
各波長の光レベルのモニタ値が目標値に近づくように、各波長の光レベルを調節し、
調節された各波長の光を合波し、
合波後の各波長の光レベルを一括でモニタし、
合波後の各波長の光レベルのモニタ値に応じて、前記目標値を更新する
ことを特徴とする光伝送方法。
【請求項５】
光損失媒質と該光損失媒質による損失を補償するために利得一定制御を行う光増幅手段を含む光伝送路を介して、複数の波長の光が多重された波長多重光を伝送する光伝送方法であって、
各波長の光レベルをモニタし、
各波長の光レベルのモニタ値が目標値に近づくように、各波長の光レベルを調節し、
調節された各波長の光を合波し、
合波後の各波長の光レベルまたは光信号対雑音比を一括でモニタし、
前記光増幅手段の入力側または出力側において、合波後のトータルパワーの光レベルをモニタし、
合波後の各波長の光レベルまたは光信号対雑音比のモニタ値と、合波後のトータルパワーの光レベルのモニタ値に応じて、前記目標値を更新する
ことを特徴とする光伝送方法。
【発明の詳細な説明】
【技術分野】
【０００１】
本発明は、波長多重光増幅中継伝送システムにおいて、光レベルを制御する光伝送装置および方法に関する。
【背景技術】
【０００２】
波長多重光増幅中継伝送システムにおいて、伝送路障害や、波長多重光を構成する波長の増減設（波長の追加、削除）等により、光増幅器を通過する波長数や波長配置が変化すると、光増幅器から出力された波長多重光のスペクトルの傾斜、形状が変化してしまう。同等の特性をもった光増幅器を多段で接続しているシステムにおいては、このスペクトルの傾斜、形状の変化が累積し、波長数、波長配置変化後の残存波長（運用を継続する波長）に対して、受信端において大きな光レベル（光パワー）の変化をもたらすことになる。この光レベル変化は、伝送品質の劣化や光部品の損傷等を引き起こす可能性があるため、可能な限りこの光レベル変化に追従し、できるだけ早い時間内に適正な光レベルに戻す必要がある。
【０００３】
伝送路障害時や、波長の増減設時は、急激な光レベルの変動が起こるため、その光レベルの感知と制御には、高速な応答が可能な光デバイスおよび制御回路が必要になる。そのため、急激な光レベル変動に対応する必要のある波長多重光伝送システムには、送信端や分岐挿入ノード等、波長多重光を構成する各波長が分波されている個所にフォトディテクタと光減衰器を配置し、高速な光レベル変動をできる限り吸収できるような構成がとられている。
【０００４】
また、伝送路障害時の運用中の波長の光信号断検出による伝送路冗長切替を行うようなシステムにおいても、各波長の光レベル低下を瞬時に捉える必要があり、各波長に分波された部分のフォトディテクタを使用して検出できる構成がとられている。
【０００５】
特許文献１および２は、波長多重光伝送システムにおける光信号のモニタ／制御に関する。
【特許文献１】特開平１１−１０３２８７号公報
【特許文献２】特開平０９−０６４８１９号公報
【発明の開示】
【発明が解決しようとする課題】
【０００６】
上述した従来の波長多重光増幅中継システムには、次のような問題がある。
波長多重光増幅中継システムは、高機能、低コストの要求に応えるために、さらなる長距離化、中継段数の多段化、分岐挿入局（ＯＡＤＭ：Optical Add Drop Multiplexer）数の増加、波長数の増加等が必要となってきている。これらを実現するためには、光伝送システムの伝送特性を最大限まで改善する必要があるが、上述したようなフォトディテクタと光減衰器の構成には、いくつかの問題点、改善の余地がある。
（１）予め決められた目標値に対する制御を送信側にて行う方式のため、調整点から下流側の変動、特に、波長数、波長配置の変化によるチルト形状の変化等については、吸収することはできない。
（２）送信端での増幅器入力光レベルを均一にすることは可能だが、増幅器出力光レベルや受信端での光信号対雑音比（Optical Signal-Noise-Ratio，ＯＳＮＲ）まで改善することはできない。
（３）通常、フォトディテクタは光レベルの絶対値の精度を持たないため、詳細な事前の光レベル調整が必要であり、その調整には多大な作業工数、または設備が必要になる。
【０００７】
本発明の課題は、波長多重光増幅中継伝送システムにおいて、フォトディテクタと光減衰器を用いた光レベル制御を改善し、より精度の高い光レベル調整を高速で行うことである。
【課題を解決するための手段】
【０００８】
図１は、本発明の第１、第２、および第３の光伝送装置の構成図である。
本発明の第１の光伝送装置は、記憶手段１０１、第１のモニタ手段１０２、光減衰手段１０３、合波手段１０４、第２のモニタ手段１０５、および制御手段１０６を備え、光損失媒質とその光損失媒質による損失を補償するための光増幅手段を含む光伝送路を介して、複数の波長の光が多重された波長多重光を伝送する。
【０００９】
記憶手段１０１は、各波長の光レベルの目標値を記憶し、第１のモニタ手段１０２は、各波長の光レベルをモニタし、光減衰手段１０３は、第１のモニタ手段１０２のモニタ値が記憶手段１０１に記憶された目標値に近づくように、各波長の光レベルを調節する。合波手段１０４は、調節された各波長の光を合波し、第２のモニタ手段１０５は、合波後の各波長の光レベルを一括でモニタし、制御手段１０６は、第２のモニタ手段１０２のモニタ値に応じて、記憶手段１０１に記憶された目標値を更新する。
【００１０】
第１の光伝送装置によれば、第１のモニタ手段１０２のモニタ値が目標値に近づくように、光減衰手段１０３が各波長の光レベルを増減する調節を行うことで、高速な光レベル調整が実現される。また、制御手段１０６が、第２のモニタ手段１０２のモニタ値に応じて目標値を更新することで、運用中の状況変化に応じて目標値が最適化される。
【００１１】
本発明の第２の光伝送装置は、記憶手段１０１、第１のモニタ手段１０２、光減衰手段１０３、合波手段１０４、および制御手段１０６を備え、光損失媒質とその光損失媒質による損失を補償するための光増幅手段を含む光伝送路を介して、複数の波長の光が多重された波長多重光を伝送する。
【００１２】
記憶手段１０１は、各波長の光レベルの目標値を記憶し、第１のモニタ手段１０２は、各波長の光レベルをモニタし、光減衰手段１０３は、第１のモニタ手段１０２のモニタ値が記憶手段１０１に記憶された目標値に近づくように、各波長の光レベルを調節する。合波手段１０４は、調節された各波長の光を合波し、制御手段１０６は、合波後の各波長の光信号対雑音比を一括でモニタすることにより取得された光信号対雑音比の情報を受け取り、その情報に応じて、記憶手段１０１に記憶された目標値を更新する。
【００１３】
第２の光伝送装置によれば、第１の光伝送装置の場合と同様に、高速な光レベル調整が実現され、運用中の状況変化に応じて目標値が最適化される。さらに、合波後の各波長の光信号対雑音比を光伝送装置より下流の分岐挿入ノードや受信ノードでモニタして、その情報を光伝送装置に送信すれば、下流側の状況変化に応じて目標値を最適化して、下流側のノードにおけるＯＳＮＲを改善することができる。
【００１４】
本発明の第３の光伝送装置は、記憶手段１０１、第１のモニタ手段１０２、光減衰手段１０３、合波手段１０４、第２のモニタ手段１０５、制御手段１０６、および第３のモニタ手段１０７を備え、光損失媒質とその光損失媒質による損失を補償するために利得一定制御を行う光増幅手段を含む光伝送路を介して、複数の波長の光が多重された波長多重光を伝送する。
【００１５】
記憶手段１０１は、各波長の光レベルの目標値を記憶し、第１のモニタ手段１０２は、各波長の光レベルをモニタし、光減衰手段１０３は、第１のモニタ手段１０２のモニタ値が記憶手段１０１に記憶された目標値に近づくように、各波長の光レベルを調節する。合波手段１０４は、調節された各波長の光を合波し、第２のモニタ手段１０５は、合波後の各波長の光レベルまたは光信号対雑音比を一括でモニタし、第３のモニタ手段１０７は、光増幅手段の入力側または出力側において、合波後のトータルパワーの光レベルをモニタする。制御手段１０６は、第２のモニタ手段１０５および第３のモニタ手段１０７のモニタ値に応じて、記憶手段１０１に記憶された目標値を更新する。
【００１６】
第３の光伝送装置によれば、第１の光伝送装置の場合と同様に、高速な光レベル調整が実現される。さらに、光増幅手段が利得一定制御を行っている場合でも、その出力光レベルを一定に保ちつつ、運用中の状況変化に応じて目標値を最適化することができる。
【００１７】
光増幅手段は、例えば、後述する図２の光増幅器２０５または図４の光増幅器４０６に対応する。記憶手段１０１は、例えば、図２の記憶媒体２０９または図４の記憶媒体４１０に対応し、第１のモニタ手段１０２は、例えば、図２のフォトディテクタ（ＰＤ）２０３−ｉまたは図４のＰＤ４０４−ｉ（ｉ＝１，２，．．．，ｎ）に対応し、光減衰手段１０３は、例えば、図２の可変光減衰器（ＶＯＡ）２０２−ｉまたは図４のＶＯＡ４０３−ｉ（ｉ＝１，２，．．．，ｎ）に対応する。
【００１８】
合波手段１０４は、例えば、図２の光合波器２０４または図４の光合波器４０５に対応し、第２のモニタ手段１０５は、例えば、図２のスペクトラムアナライザ（ＳＡ）２０６または図４のＳＡ４０７に対応する。
【００１９】
制御手段１０６は、例えば、図２の中央処理装置（ＣＰＵ）２０８、図４のＣＰＵ４０９、図６のＣＰＵ６０７、図８のＣＰＵ８０４、図１０のＣＰＵ１００３、図１２のＣＰＵ１２０３、または図１４のＣＰＵ１４０２に対応する。第３のモニタ手段１０７は、例えば、図１０のＰＤ１００１、図１２のＰＤ１２０１、または図１４のＳＡ４０７に対応する。
【発明の効果】
【００２０】
本発明によれば、波長多重光増幅中継伝送システムにおいて、フォトディテクタと光減衰器を用いて、より精度の高い光レベル調整を高速で行うことが可能になる。この場合、フォトディテクタの詳細な事前の光レベル調整は不要になる。
【００２１】
また、光伝送装置より下流側の状況変化に応じてフォトディテクタの目標値を最適化して、下流側の分岐挿入ノードや受信ノードにおけるＯＳＮＲを改善することができる。
【発明を実施するための最良の形態】
【００２２】
以下、図面を参照しながら、本発明を実施するための最良の形態を詳細に説明する。
本実施形態の波長多重光伝送システムは、光ファイバまたは各種光学部品等の光損失媒質と、その損失を補償するための光増幅器が縦続接続された光伝送路を含む。そして、各波長毎に設けられたフォトディテクタと、全波長を一括でモニタする光スペクトラムアナライザの両方を使用して、光レベル急変時の光レベルずれ状態からの回復時間を最小限にし、かつ、常に伝送特性を最適化することで、光伝送システムの多段化、長距離化等を実現する。
【００２３】
具体的には、波長多重光伝送システムの送信ノード、受信ノード、または光分岐挿入ノードに光スペクトラムアナライザを配し、各波長に接続されているフォトディテクタ、可変光減衰器と併用することで、波長数や波長配置に応じた、その時々の状況にあった調整を行い、さらなる伝送特性の改善を実現する。
【００２４】
光スペクトラムアナライザは、情報取得（スイープ）に時間がかかるため、本来は過渡応答のような高速な制御には向かない。しかし、システム立上げ時や波長の増減設時に、送信端の出力光レベル、スペクトルや受信端のＯＳＮＲを勘案して、より適切な波長毎の光レベルとなるような制御をフォトディテクタと可変光減衰器からなる系に行わせるように、光スペクトラムアナライザの測定結果から導出された制御目標値を装置内部に記憶させることで、より精度の高い光レベル調整を高速で行うことが可能になる。
【００２５】
また、フォトディテクタのモニタ値を参照しながら制御を行う対象である可変光減衰器には、高速モードと低速モードの２つのモードを持たせて、立上げ時および波長増減設時と通常運用時とでモードを分けて使用、またはこれらを併用する。
【００２６】
このような方式を取ることにより、高速な変動に対応し、かつ、伝送状態を常に最適に保つことが可能になる。
図２は、送信ノードに設けられる送信部の構成図である。送信部は、可変光減衰器（Variable Optical Attenuator ，ＶＯＡ）２０２−ｉ、フォトディテクタ（ＰＤ）２０３−ｉ（ｉ＝１，２，．．．，ｎ）、光合波器２０４、光増幅器２０５、スペクトラムアナライザ（ＳＡ）２０６、中央処理装置（ＣＰＵ）２０７、２０８、および記憶媒体２０９から構成される。
【００２７】
このうち、ＶＯＡ２０２−ｉおよびＰＤ２０３−ｉは波長毎に設けられ、ＶＯＡ２０２−ｉは、送信器（Ｔｘ）２０１−ｉから出力される光のレベルを調整する。そして、ＶＯＡ２０２−ｉからの出力光は２分岐されて、一方が光合波器２０４に入力し、他方がＰＤ２０３−ｉに入力する。ＰＤ２０３−ｉは、ＶＯＡ２０２−ｉから出力される光のレベルをモニタする。光合波器２０４は、ＶＯＡ２０２−１〜ＶＯＡ２０２−ｎから出力される光を合波し、光増幅器２０５は、光出力レベル一定制御（Automatic Level Control ，ＡＬＣ）を行って、合波された光（波長多重光）を光のままで増幅し、光ファイバ２１０に出力する。ＳＡ２０６は、増幅された光を一括でモニタし、ＣＰＵ２０７および２０８は、ＳＡ２０６のモニタ結果を用いてＶＯＡ２０２−ｉおよびＰＤ２０３−ｉを制御する。
【００２８】
図３は、図２に示した送信部の制御のフローチャートである。図３のステップ３０２〜３０６の動作は、初期立上げ時の制御に対応し、ステップ３０７〜３１４の動作は、通常運用時の制御に対応する。
（１）平均値からの光レベル差分フィードバック制御
まず、光増幅器２０５が立ち上がる（ステップ３０１）と、ＳＡ２０６がシステムで使用する全波長帯域の光スペクトルをモニタし、波長多重光を構成する各波長における光レベルを得て、ＣＰＵ２０７に通知する。ＣＰＵ２０７は、各波長の光レベルのモニタ値を総合的に判断し、収束範囲内であるかどうかをチェックする（ステップ３０２）。ここでは、例えば、光レベルの最大値と最小値との差が閾値として設定した０．５ｄＢの範囲内に入っているかどうかがチェックされる。
【００２９】
全波長の光レベルのモニタ値が収束範囲内に入っていなければ、ＣＰＵ２０７は、各波長の光レベルを全波長の平均値と比較し（ステップ３０３）、ＶＯＡ２０２−ｉを調整する。具体的には、当該波長の光レベルが平均値より高ければ、その波長に対応するＶＯＡ２０２−ｉを閉じて減衰量を増加させ（ステップ３０４）、当該波長の光レベルが平均値以下であれば、その波長に対応するＶＯＡ２０２−ｉを開いて減衰量を減少させる（ステップ３０５）。その後、ＳＡ２０６は、再度、システムで使用する全波長帯域の光スペクトルをモニタする。
【００３０】
送信部は、このような動作を、例えばＳＡ２０６がシステムで使用する全波長帯域をスイープする時間（〜秒オーダ）で繰り返して、各波長の光レベルが収束範囲内に収まるように制御する。このように、この動作をＳＡ２０６が１回のスイープにかかる時間で繰り返すことにより、必要最低限の時間単位での制御が可能となる。なお、これに関わらず、光レベルの変動要因に合わせて、例えば１時間に１回、１日に１回、または任意の日時を指定するなど、この動作をスケジューリングして行わせることもできる。
（２）目標値の記憶
次に、ＰＤ２０３−ｉは、全波長の光レベルが収束範囲内に入った時点での各波長のモニタレベルを記憶媒体２０９に出力し、記憶媒体２０９は、ＰＤ２０３−ｉから受け取ったモニタレベルを目標値ｉとして記憶する（ステップ３０６）。
（３）目標値への高速フィードバック制御＋平均値からの光レベル差分フィードバック制御
その後、送信部は運用状態に入り、記憶された目標値に向けて、高速ＶＯＡ制御モード（〜ミリ秒オーダ）に移行する。そして、ＰＤ２０３−ｉは、対応する波長の光レベルをモニタして目標値ｉと比較し（ステップ３０８）、ＶＯＡ２０２−ｉを調整する。当該波長の光レベルが目標値より高ければ、その波長のＶＯＡ２０２−ｉを閉じ（ステップ３０９）、当該波長の光レベルが目標値以下であれば、その波長のＶＯＡ２０２−ｉを開く（ステップ３１０）。送信部は、このような動作を高速（〜ミリ秒オーダ）で繰り返す。
【００３１】
その間、ＳＡ２０６は、システムで使用する全波長帯域の光スペクトルを例えば上記した時間間隔でモニタし続け、得られた各波長における光レベルをＣＰＵ２０８に通知する。波長の増減設等により各波長の光レベルが収束範囲から外れた場合は、ＣＰＵ２０８が、過渡応答現象を吸収するための一定の保護時間（〜秒オーダ）を設けた後で目標値を更新する（ステップ３０７）。ここでは、平均値からの差分を考慮して、少しずつ（例えば０．１ｄＢずつ）目標値を書き換えることで、収束範囲内になるように光レベルが調整される。
【００３２】
ＣＰＵ２０８は、ＣＰＵ２０７と同様にして、全波長の光レベルのモニタ値が収束範囲内であるかどうかをチェックし（ステップ３１１）、全波長の光レベルのモニタ値が収束範囲内に入っていなければ、各波長の光レベルを全波長の平均値と比較する（ステップ３１２）。当該波長の光レベルが平均値より高ければ、対応する目標値から０．１ｄＢを減算し（ステップ３１３）、当該波長の光レベルが平均値以下であれば、対応する目標値に０．１ｄＢを加算する（ステップ３１４）。そして、記憶媒体２０９の目標値を更新する（ステップ３０７）。送信部は、このような動作を低速（〜秒オーダ）で繰り返す。
【００３３】
このような制御を行うことにより、波長多重光を構成する各波長の光レベルは、最終的には全波長の光レベルの平均値±０．１ｄＢの範囲に制御されることとなる。
図４は、分岐挿入（ＯＡＤＭ）ノードに設けられる分岐挿入部の構成図である。分岐挿入部は、光増幅器４０１、４０６、光分波器４０２、ＶＯＡ４０３−ｉ、ＰＤ４０４−ｉ（ｉ＝１，２，．．．，ｎ）、光合波器４０５、ＳＡ４０７、ＣＰＵ４０８、４０９、および記憶媒体４１０から構成される。
【００３４】
光増幅器４０１は、入射光を増幅し、光分波器４０２は、増幅された光を各波長に分波する。ＶＯＡ４０３−ｉの一部は、新たに挿入される波長の光レベルを調整し、他のＶＯＡ４０３−ｉは、分波され、この分岐挿入ノードを通過する波長の光レベルを調整する。図４では一例としてＶＯＡ−ｎが新たに挿入する波長を示し、ＶＯＡ−１，２が通過する波長を示している。
【００３５】
ＶＯＡ４０３−ｉからの出力光は２分岐されて、一方が光合波器４０５に入力し、他方がＰＤ４０４−ｉに入力する。ＰＤ４０４−ｉは、ＶＯＡ４０３−ｉから出力される光のレベルをモニタする。光合波器４０５は、ＶＯＡ４０３−１〜ＶＯＡ４０３−ｎから出力される光を合波し、光増幅器４０６は、合波された光を増幅して光ファイバ４１１に出力する。ＳＡ４０７は、増幅された光を一括でモニタし、ＣＰＵ４０８および４０９は、ＳＡ４０７のモニタ結果を用いてＶＯＡ４０３−ｉおよび記憶媒体４１０を介してＰＤ４０４−ｉを制御する。
【００３６】
分岐挿入ノードにおいては、上流側（図４において、光増幅器４０１の入力側）の送信ノードや他の分岐挿入ノード等による波長毎の光レベル調整、上流側のインラインアンプによる光レベル調整等により、システム全体の立上げ時は光レベルが変動する。そこで、光監視チャネル（Optical Supervisory Channel ，ＯＳＣ）経由で、前段ノード（光送信ノード、分岐挿入ノードまたはインラインアンプ等）から上流側の各ノードの立ち上がり情報を得た後に光増幅器を立上げる。そして、送信ノードと同様に各波長の平均化の後で、平均化をモニタしつつ、高速ＶＯＡ制御モードに入ることで、常に最適な状態を保ちつつ、急激な変動にも対応することが可能になる。
【００３７】
特に、分岐挿入ノードでは、上流側のタンデムにつながった複数のインラインアンプを介して光が入射されるため、波長間で大きな光レベル差がついていると考えられる。また、伝送路障害に伴う波長数の変化による残存波長の急激な光レベル変動や、伝送路ファイバの経年劣化、温度変動等の影響も受ける。このため、伝送特性を常に最適化しつつ、急激な波長数変動にも対応する方式が重要になる。
【００３８】
図５は、図４に示した分岐挿入部の制御のフローチャートである。図５のステップ５０２〜５０６の動作は、図３のステップ３０２〜３０６と同様の初期立上げ時の制御に対応し、ステップ５０７〜５１４の動作は、図３のステップ３０７〜３１４と同様の通常運用時の制御に対応する。ＣＰＵ４０８は、ステップ５０２〜５０５の制御を行い、ＣＰＵ４０９は、ステップ５１１〜５１４の制御を行う。これにより、送信ノードから分岐挿入ノードまでの光レベル変動、伝送路損失変動等の光レベルばらつき要因を吸収しながら、ＶＯＡ４０３−ｉの応答が制御される。
【００３９】
図６は、受信端でのＯＳＮＲが均一になるように光レベル調整を行うシステムの構成図である。このシステムは、送信器２０１−ｉ、ＶＯＡ２０２−ｉ、ＰＤ２０３−ｉ、光合波器２０４、６１３、光増幅器２０５、６０１、６０２、６１４〜６１６、記憶媒体２０９、光ファイバ２１０、光分波器６０３、６１７、受信器（Ｒｘ）６０４−ｉ（ｉ＝１，２，．．．，ｎ）、ＳＡ６０５、ＣＰＵ６０６、６０７、および監視制御部６０８〜６１１を備える。
【００４０】
このうち、光増幅器６０２、光分波器６０３、受信器６０４−ｉ、ＳＡ６０５、およびＣＰＵ６０６は、受信ノードに設けられた受信部を構成し、監視制御部６１１は、ＣＰＵ６１２を含む。監視制御部６０８〜６１１は、ＯＳＣ経由で監視制御情報を転送する機能を有する。
【００４１】
光増幅器６０２は、入射光を増幅し、光分波器６０３は、増幅された光を各波長に分波し、受信器６０４−ｉは、分波された各波長の光を受信する。ＳＡ６０５は、増幅された光を一括でモニタし、ＣＰＵ６０６、６０７、および６１２は、ＳＡ６０５のモニタ結果を用いてＶＯＡ２０２−ｉおよびＰＤ２０３−ｉを制御する。
【００４２】
この場合、ＳＡ６０５は受信部に設けられ、ＳＡ６０５によりモニタされたＯＳＮＲ情報から、平均値の差分が計算される。そして、その情報は対向側のＯＳＣを経由して送信部に転送され、フィードバック制御が行われるようになっている。これにより、受信端でのＯＳＮＲが均一になるように、かつ、急激な光レベル変動に耐えられるように、高速ＶＯＡ制御が行われる。
【００４３】
図７は、図６に示したシステムの制御のフローチャートである。図７のステップ７０２〜７０６の動作は、初期立上げ時の制御に対応し、ステップ７０７〜７１４の動作は、通常運用時の制御に対応する。
（１）平均値からのＯＳＮＲ差分フィードバック制御
まず、光増幅器６０２が立ち上がる（ステップ７０１）と、ＳＡ６０５が各波長のＯＳＮＲ値をモニタし、ＣＰＵ６０６は、モニタされたＯＳＮＲ値をＯＳＣ経由で送信部に送付する。送信部のＣＰＵ６０７は、受け取った全波長のＯＳＮＲ値が収束範囲内であるかどうかをチェックする（ステップ７０２）。ここでは、例えば、ＯＳＮＲの最大値と最小値の差が０．５ｄＢの範囲内に入っているかどうかがチェックされる。
【００４４】
全波長のＯＳＮＲ値が収束範囲内に入っていなければ、ＣＰＵ６０７は、各波長のＯＳＮＲ値を全波長の平均値と比較し（ステップ７０３）、ＶＯＡ２０２−ｉを調整する。当該波長のＯＳＮＲ値が平均値より大きければ、その波長のＶＯＡ２０２−ｉを閉じ（ステップ７０４）、当該波長のＯＳＮＲ値が平均値以下であれば、その波長のＶＯＡ２０２−ｉを開く（ステップ７０５）。その後、ＳＡ６０５は、再度、各波長のＯＳＮＲ値をモニタする。
【００４５】
このような動作が低速（〜秒オーダ）で繰り返され、受信端でのＯＳＮＲ値が均一になるようにフィードバック制御が行われる。
（２）目標値の記憶
次に、ＰＤ２０３−ｉは、全波長のＯＳＮＲ値が収束範囲内に入った時点での各波長のモニタレベルを記憶媒体２０９に出力し、記憶媒体２０９は、ＰＤ２０３−ｉから受け取ったモニタレベルを目標値ｉとして記憶する（ステップ７０６）。
（３）目標値への高速フィードバック制御＋平均値からのＯＳＮＲ差分フィードバック制御
その後、送信部は運用状態に入り、記憶された目標値に向けて、高速ＶＯＡ制御モード（〜ミリ秒オーダ）に移行する。ステップ７０８〜７１０の動作は、図３のステップ３０８〜３１０の動作と同様である。
【００４６】
その間、ＣＰＵ６０７は、受信部からのＯＳＮＲ情報を元に、常にＯＳＮＲ値をモニタし、波長の増減設等により各波長のＯＳＮＲ値が収束範囲から外れた場合は、一定の保護時間を設けた後で目標値を更新する（ステップ７０７）。ここでは、少しずつ（例えば０．１ｄＢずつ）目標値を書き換えることで、ＯＳＮＲ値が均一になるように調整が行われる。
【００４７】
ＣＰＵ６０７は、ステップ７０２と同様にして、全波長のＯＳＮＲ値が収束範囲内であるかどうかをチェックし（ステップ７１１）、全波長のＯＳＮＲ値が収束範囲内に入っていなければ、各波長のＯＳＮＲ値を全波長の平均値と比較する（ステップ７１２）。当該波長のＯＳＮＲ値が平均値より大きければ、対応する目標値から０．１ｄＢを減算し（ステップ７１３）、当該波長のＯＳＮＲ値が平均値以下であれば、対応する目標値に０．１ｄＢを加算する（ステップ７１４）。そして、記憶媒体２０９の目標値を更新する（ステップ７０７）。このような動作が低速（〜秒オーダ）で繰り返される。
【００４８】
なお、各波長のＯＳＮＲ値と平均値の差分計算や目標値算出は、必ずしも送信部のＣＰＵ６０７が行う必要はなく、受信部のＣＰＵ６０６、監視制御部６１１のＣＰＵ６１２、あるいは他の監視制御部が行ってもよい。
【００４９】
図８は、分岐挿入ノードにおける入射光のＯＳＮＲが均一になるように光レベル調整を行うシステムの構成図である。このシステムは、送信器２０１−ｉ、ＶＯＡ２０２−ｉ、４０３−ｉ、ＰＤ２０３−ｉ、４０４−ｉ（ｉ＝１，２，．．．，ｎ）、光合波器２０４、４０５、８１０、光増幅器２０５、４０１、４０６、８１１〜８１３、記憶媒体２０９、光ファイバ２１０、４１１、光分波器４０２、８１４、ＳＡ８０２、ＣＰＵ８０３、８０４、および監視制御部８０５〜８０８を備える。
【００５０】
このうち、光増幅器４０１、４０６、光分波器４０２、ＶＯＡ４０３−ｉ、ＰＤ４０４−ｉ、光合波器４０５、ＳＡ８０２、およびＣＰＵ８０３は、分岐挿入部を構成し、監視制御部８０８は、ＣＰＵ８０９を含む。監視制御部８０５〜８０８は、ＯＳＣ経由で監視制御情報を転送する機能を有する。
【００５１】
ＳＡ８０２は、受信側の光増幅器４０１により増幅された光を一括でモニタし、ＣＰＵ８０３、８０４、および８０９は、ＳＡ８０２のモニタ結果を用いてＶＯＡ２０２−ｉおよびＰＤ２０３−ｉを制御する。
【００５２】
このような構成によれば、分岐挿入ノード単位でのＯＳＮＲを均一にすることで、最終的な受信ノードでのＯＳＮＲを最適にしつつ、波長の増減設時等の光レベル変動を途中で吸収することができ、受信ノードでの光レベル変動を緩和することが可能になる。
【００５３】
図９は、図８に示したシステムの制御のフローチャートである。図８のシステムの場合は、分岐挿入部より上流側の送信部または分岐挿入部から当該分岐挿入部までの区間のＯＳＮＲ調整が済んでいる必要がある。ＯＳＮＲ調整終了の情報は、当該分岐挿入部の入力側にあるＳＡ８０２から得られる。
【００５４】
図９のステップ９０２〜９０６の動作は、図７のステップ７０２〜７０６と同様の初期立上げ時の制御に対応し、ステップ９０７〜９１４の動作は、図７のステップ７０７〜７１４と同様の通常運用時の制御に対応する。ＣＰＵ８０４は、ステップ９０２〜９０５およびステップ９１１〜９１４の制御を行う。これにより、送信ノードから分岐挿入ノードまでのＯＳＮＲをモニタしながら、ＶＯＡ４０３−ｉの応答が制御される。
【００５５】
なお、各波長のＯＳＮＲ値と平均値の差分計算や目標値算出は、必ずしも送信部のＣＰＵ８０４が行う必要はなく、受信部のＣＰＵ８０３、監視制御部８０８のＣＰＵ８０９、あるいは他の監視制御部が行ってもよい。
【００５６】
図１０は、出力側の光増幅器が利得一定制御（Automatic Gain Control，ＡＧＣ）を行っている場合の分岐挿入部の構成図である。図１０の分岐挿入部は、図４の分岐挿入部において光合波器４０５からの出力光を二分岐し、一方はＰＤ１００１へ、もう一方は光増幅器４０６に入力し、ＣＰＵ４０８および４０９をＣＰＵ１００２および１００３に置き換えた構成を有する。
【００５７】
出力側の光増幅器４０６がＡＧＣ制御を行っている場合は、出力光レベルが変動しないように、入力光レベルを一定にする必要がある。そこで、出力を一定にしつつ、バラツキをおさえ、急激な変動にも対応できるようにするためには、ＳＡ４０７からの各波長のばらつきの情報と、光増幅器４０６の入力側に設けられた、トータルパワーの光レベルをモニタするＰＤ１００１からの情報の両方を使用して、制御を行う必要がある。なお、ＰＤ１００１は、光増幅器４０６に内蔵することも可能である。
【００５８】
図１１は、図１０に示した分岐挿入部の制御のフローチャートである。図１１のステップ１１０１〜１１１０の動作は、初期立上げ時の制御に対応し、ステップ１１１１〜１１１８の動作は、通常運用時の制御に対応する。
（１）平均値からの差分フィードバック制御
まず、分岐挿入部は、ＯＳＣ経由で上流の立ち上がり情報またはＯＳＮＲ調整終了情報を得てから光増幅器を立上げ、波長数の情報を取得する（ステップ１１０１）。次に、ＰＤ１００１は、全波長のトータルパワーの光レベルをモニタし、ＣＰＵ１００２は、ＰＤ１００１のモニタ値を波長数で割り算して１波当たりのパワーを算出し、それが収束範囲内であるかどうかをチェックする（ステップ１１０２）。ここでは、例えば、１波あたりのパワーが±０．１ｄＢの範囲内に入っているかどうかがチェックされる。
【００５９】
１波あたりのパワーが収束範囲内に入っていなければ、モニタされた光レベルを所定の目標値と比較し（ステップ１１０３）、ＶＯＡ４０３−ｉを調整する。光レベルが目標値より高ければ、全波長のＶＯＡ４０３−ｉを一律に閉じ（ステップ１１０４）、光レベルが目標値以下であれば、その波長のＶＯＡ４０３−ｉを開く（ステップ１１０５）。ステップ１１０４では、例えば、減衰量が０．５ｄＢだけ増加し、ステップ１１０５では、例えば、減衰量が０．５ｄＢだけ減少する。その後、ＰＤ１００１は、再度、光レベルをモニタする。分岐挿入部は、このような動作を低速（〜秒オーダ）で繰り返す。
【００６０】
１波あたりのパワーが収束範囲内に入ると、次に、ＳＡ４０７が各波長の光レベルまたはＯＳＮＲ値をモニタし、ＣＰＵ１００２は、全波長の光レベルのモニタ値またはＯＳＮＲ値が収束範囲内であるかどうかをチェックする（ステップ１１０６）。
【００６１】
全波長の光レベルのモニタ値またはＯＳＮＲ値が収束範囲内に入っていなければ、各波長の光レベルまたはＯＳＮＲ値を全波長の平均値と比較し（ステップ１１０７）、ＶＯＡ４０３−ｉを調整する。当該波長の光レベルまたはＯＳＮＲ値が平均値より高ければ、その波長のＶＯＡ４０３−ｉを閉じ（ステップ１１０８）、当該波長の光レベルまたはＯＳＮＲ値が平均値以下であれば、その波長のＶＯＡ４０３−ｉを開く（ステップ１１０９）。その後、ＳＡ４０７は、再度、各波長の光レベルまたはＯＳＮＲ値をモニタする。分岐挿入部は、このような動作を高速（〜ミリ秒オーダ）で繰り返す。
（２）目標値の記憶
次に、ＰＤ４０４−ｉは、全波長の光レベルのモニタ値またはＯＳＮＲ値が収束範囲内に入った時点での各波長のモニタレベルを記憶媒体４１０に出力し、記憶媒体４１０は、ＰＤ４０４−ｉから受け取ったモニタレベルを目標値ｉとして記憶する（ステップ１１１０）。
（３）目標値への高速フィードバック制御＋平均値からの差分フィードバック制御
その後、送信部は運用状態に入り、記憶された目標値に向けて、高速ＶＯＡ制御モード（〜ミリ秒オーダ）に移行する。ステップ１１１２〜１１１４の動作は、図３のステップ３０８〜３１０の動作と同様である。
【００６２】
その間、ＣＰＵ１００３は、ＣＰＵ１００２と同様にして、１波あたりのパワーが収束範囲内で、かつ、全波長の光レベルのモニタ値またはＯＳＮＲ値が収束範囲内であるかどうかをチェックする（ステップ１１１５）。そして、その条件が満たされなければ、各波長の光レベルを対応する目標値と比較するとともに、各波長の光レベルまたはＯＳＮＲ値を全波長の平均値と比較する（ステップ１１１６）。
【００６３】
当該波長の光レベルが目標値より高いか、または当該波長の光レベルまたはＯＳＮＲ値が平均値より高ければ、対応する目標値から０．１ｄＢを減算し（ステップ１１１７）、当該波長の光レベルが目標値以下で、かつ、当該波長の光レベルまたはＯＳＮＲ値が平均値以下であれば、対応する目標値に０．１ｄＢを加算する（ステップ１１１８）。そして、記憶媒体４１０の目標値を更新する（ステップ１１１１）。分岐挿入部は、このような動作を低速（〜秒オーダ）で繰り返す。
【００６４】
図１０の構成では、光増幅器４０６の入力側に設けられたＰＤ１００１のモニタ値を一定に保つことで、ＡＧＣ制御の光増幅器４０６の出力光レベルを一定に保つことを可能にしているが、同様に、光増幅器４０６の出力側に設けられたＰＤのモニタ値を一定に保つことで、出力光レベルを一定に保つことも可能である。
【００６５】
図１２は、このような分岐挿入部の構成図である。図１２の分岐挿入部は、図１０の分岐挿入部において、ＰＤ１００１の代わりに光増幅器４０６の出力側にＰＤ１２０１を設け、ＣＰＵ１００２および１００３をＣＰＵ１２０２および１２０３に置き換えた構成を有する。
【００６６】
図１３は、図１２に示した分岐挿入部の制御のフローチャートである。図１３のステップ１３０２〜１３１０の動作は、図１１のステップ１１０２〜１１１０と同様の初期立上げ時の制御に対応し、ステップ１３１１〜１３１８の動作は、図１１のステップ１１１１〜１１１８と同様の通常運用時の制御に対応する。ＣＰＵ１２０２は、ステップ１３０２〜１３０９の制御を行い、ＣＰＵ１２０３は、ステップ１３１５〜１３１８の制御を行う。
【００６７】
さらに、伝送路の光ファイバの経年劣化や温度変動のような、緩やかな損失変動に対して、その光レベル補償を行うことだけを目的とした光出力一定制御を行う場合には、図１２のＰＤ１２０１の代わりにＳＡ４０７を使用することができる。特に、光増幅器のみが独立した制御を行うようなシステム構成においては、このような方式が必要になってくる。
【００６８】
図１４は、このような分岐挿入部の構成図である。図１４の分岐挿入部は、図１２の分岐挿入部からＰＤ１２０１を除いて、ＣＰＵ１２０２および１２０３をＣＰＵ１４０１および１４０２に置き換えた構成を有する。
【００６９】
この場合、ＳＡ４０７から各波長の光レベルの絶対値を取得し、その平均値（１波あたりのパワー）が目標とする光レベルになるように、各波長に配したＶＯＡ４０３−ｉを調整する。この方法では、予め、主信号からＳＡ４０７に光を分岐する際の分岐比の情報と、絶対光レベルを求めるに足りるだけのＳＡ４０７のパワー精度が必要である。また、この方法では、信号光のみの平均値を目標値に合わせるため、ＡＳＥ（Amplified Spontaneous Emission）補正も同時に行うことができる。
【００７０】
図１５は、図１４に示した分岐挿入部の制御のフローチャートである。図１５のステップ１５０２〜１５１０の動作は、図１３のステップ１３０２〜１３１０と同様の初期立上げ時の制御に対応し、ステップ１５１１〜１５１８の動作は、図１３のステップ１３１１〜１３１８と同様の通常運用時の制御に対応する。ＣＰＵ１４０１は、ステップ１５０２〜１５０９の制御を行い、ＣＰＵ１４０２は、ステップ１５１５〜１５１８の制御を行う。
【００７１】
なお、図１０〜１５には分岐挿入部の構成と動作を示したが、送信ノードの送信部においても、同様の構成で制御を行うことが可能である。例えば、図２の送信部において光増幅器２０５がＡＧＣ制御を行っている場合は、その入力側または出力側にＰＤを設けるか、あるいはＳＡ２０６を用いて、光出力一定制御に必要な情報を取得する。
【００７２】
また、上述した目標値を記憶する記憶媒体としては、例えば、ＥＥＰＲＯＭ（Electronically Erasable and Programmable Read Only Memory ）を用いることができ、制御を行うＣＰＵとしては、例えば、ＦＰＧＡ（Field Programmable Gate Array ）を用いることができる。
【００７３】
さらに、前述の各実施形態においては、全波長帯域の平均値に各波長の光レベルを合わせることとしたが、これに限らず、所望のスペクトル形状が得られるように制御することもできる。
【００７４】
例えば図２において、制御手段であるＣＰＵ２０８に予め所望のスペクトルを得るようにそれぞれの波長における平均値からの差分情報を設定しておき、図３のステップ３０２において、ＳＡで測定されたある波長の光レベルと、平均値に該波長の差分情報を加味した光レベルとを比較し、０．１ｄＢ以上の差がある場合に光減衰器を調整するようにすることを各波長で実施することで所望のスペクトルに制御可能である。
【００７５】
なお、前述の各実施形態において、ＰＤは一例として光分岐器と光レベル検出器とから構成され、光分岐器で分岐された入力光の一方が光レベル検出器に導かれて、光レベルが測定され、他方が合波器に導かれるように構成できる。
【００７６】
（付記１）  光損失媒質と該光損失媒質による損失を補償するための光増幅手段を含む光伝送路を介して、複数の波長の光が多重された波長多重光を伝送する光伝送装置であって、
各波長の光レベルの目標値を記憶する記憶手段と、
各波長の光レベルをモニタする第１のモニタ手段と、
前記第１のモニタ手段のモニタ値が前記記憶手段に記憶された目標値に近づくように、各波長の光レベルを調節する光減衰手段と、
調節された各波長の光を合波する合波手段と、
合波後の各波長の光レベルを一括でモニタする第２のモニタ手段と、
前記第２のモニタ手段のモニタ値に応じて、前記記憶手段に記憶された目標値を更新する制御手段と
を備えることを特徴とする光伝送装置。
【００７７】
（付記２）  前記制御手段は、前記第２のモニタ手段によりモニタされた、全波長の光レベルが所定の収束範囲内に入らないとき、全波長の平均値より高い光レベルを有する波長の目標値を減少させ、該平均値より低い光レベルを有する波長の目標値を増加させることを特徴とする付記１記載の光伝送装置。
【００７８】
（付記３）  前記光増幅手段は、分岐挿入ノードに設けられ、前段ノードから立ち上がり情報を受け取った後に立ち上がることを特徴とする付記１または２記載の光伝送装置。
（付記４）  光損失媒質と該光損失媒質による損失を補償するための光増幅手段を含む光伝送路を介して、複数の波長の光が多重された波長多重光を伝送する光伝送装置であって、
各波長の光レベルの目標値を記憶する記憶手段と、
各波長の光レベルをモニタするモニタ手段と、
前記モニタ手段のモニタ値が前記記憶手段に記憶された目標値に近づくように、各波長の光レベルを調節する光減衰手段と、
調節された各波長の光を合波する合波手段と、
合波後の各波長の光信号対雑音比を一括でモニタすることにより取得された光信号対雑音比の情報を受け取り、該光信号対雑音比の情報に応じて、前記記憶手段に記憶された目標値を更新する制御手段と
を備えることを特徴とする光伝送装置。
【００７９】
（付記５）  前記制御手段は、全波長の光信号対雑音比が所定の収束範囲内に入らないとき、全波長の平均値より大きい光信号対雑音比を有する波長の目標値を減少させ、該平均値より小さい光信号対雑音比を有する波長の目標値を増加させることを特徴とする付記４記載の光伝送装置。
【００８０】
（付記６）  前記光増幅手段は、分岐挿入ノードに設けられ、送信ノードから該分岐挿入ノードまでの光信号対雑音比調整終了情報を受け取った後に立ち上がることを特徴とする付記４または５記載の光伝送装置。
【００８１】
（付記７）  光損失媒質と該光損失媒質による損失を補償するために利得一定制御を行う光増幅手段を含む光伝送路を介して、複数の波長の光が多重された波長多重光を伝送する光伝送装置であって、
各波長の光レベルの目標値を記憶する記憶手段と、
各波長の光レベルをモニタする第１のモニタ手段と、
前記第１のモニタ手段のモニタ値が前記記憶手段に記憶された目標値に近づくように、各波長の光レベルを調節する光減衰手段と、
調節された各波長の光を合波する合波手段と、
合波後の各波長の光レベルまたは光信号対雑音比を一括でモニタする第２のモニタ手段と、
前記光増幅手段の入力側または出力側において、合波後のトータルパワーの光レベルをモニタする第３のモニタ手段と、
前記第２および第３のモニタ手段のモニタ値に応じて、前記記憶手段に記憶された目標値を更新する制御手段と
を備えることを特徴とする光伝送装置。
【００８２】
（付記８）  前記制御手段は、前記第２のモニタ手段によりモニタされた、全波長の光レベルまたは光信号対雑音比が所定の収束範囲内に入らないとき、または、前記第３のモニタ手段のモニタ値から算出される１波あたりのパワーが所定の収束範囲内に入らないとき、目標値より高い光レベルを有する波長の該目標値を減少させ、目標値より低い光レベルを有する波長の該目標値を増加させることを特徴とする付記７記載の光伝送装置。
【００８３】
（付記９）  前記制御手段は、前記第２のモニタ手段によりモニタされた、全波長の光レベルまたは光信号対雑音比が所定の収束範囲内に入らないとき、または、前記第３のモニタ手段のモニタ値から算出される１波あたりのパワーが所定の収束範囲内に入らないとき、全波長の平均値より高い光レベルまたは光信号対雑音比を有する波長の目標値を減少させ、該平均値より低い光レベルまたは光信号対雑音比を有する波長の目標値を増加させることを特徴とする付記８記載の光伝送装置。
【００８４】
（付記１０）  前記光増幅手段は、分岐挿入ノードに設けられ、前段ノードから立ち上がり情報を受け取った後、または、送信ノードから該分岐挿入ノードまでの光信号対雑音比調整終了情報を受け取った後に、立ち上がることを特徴とする付記７、８、または９記載の光伝送装置。
【００８５】
（付記１１）  光損失媒質と該光損失媒質による損失を補償するための光増幅手段を含む光伝送路を介して、複数の波長の光が多重された波長多重光を伝送する光伝送方法であって、
各波長の光レベルをモニタし、
各波長の光レベルのモニタ値が目標値に近づくように、各波長の光レベルを調節し、
調節された各波長の光を合波し、
合波後の各波長の光レベルを一括でモニタし、
合波後の各波長の光レベルのモニタ値に応じて、前記目標値を更新する
ことを特徴とする光伝送方法。
【００８６】
（付記１２）  光損失媒質と該光損失媒質による損失を補償するために利得一定制御を行う光増幅手段を含む光伝送路を介して、複数の波長の光が多重された波長多重光を伝送する光伝送方法であって、
各波長の光レベルをモニタし、
各波長の光レベルのモニタ値が目標値に近づくように、各波長の光レベルを調節し、
調節された各波長の光を合波し、
合波後の各波長の光レベルまたは光信号対雑音比を一括でモニタし、
前記光増幅手段の入力側または出力側において、合波後のトータルパワーの光レベルをモニタし、
合波後の各波長の光レベルまたは光信号対雑音比のモニタ値と、合波後のトータルパワーの光レベルのモニタ値に応じて、前記目標値を更新する
ことを特徴とする光伝送方法。
【図面の簡単な説明】
【００８７】
【図１】本発明の光伝送装置の原理図である。
【図２】送信部の構成図である。
【図３】第１の制御のフローチャートである。
【図４】第１の分岐挿入部の構成図である。
【図５】第２の制御のフローチャートである。
【図６】受信部を含むシステムの構成図である。
【図７】第３の制御のフローチャートである。
【図８】第２の分岐挿入部を含むシステムの構成図である。
【図９】第４の制御のフローチャートである。
【図１０】第３の分岐挿入部の構成図である。
【図１１】第５の制御のフローチャートである。
【図１２】第４の分岐挿入部の構成図である。
【図１３】第６の制御のフローチャートである。
【図１４】第５の分岐挿入部の構成図である。
【図１５】第７の制御のフローチャートである。
【符号の説明】
【００８８】
１０１  記憶手段
１０２  第１のモニタ手段
１０３  光減衰手段
１０４  合波手段
１０５  第２のモニタ手段
１０６  制御手段
１０７  第３のモニタ手段
２０１−１、２０１−２、２０１−ｎ  Ｔｘ
２０２−１、２０２−２、２０２−ｎ、４０３−１、４０３−２、４０３−ｎ  ＶＯＡ
２０３−１、２０３−２、２０３−ｎ、４０４−１、４０４−２、４０４−ｎ、１００１、１２０１  ＰＤ
２０４、４０５、６１３、８１０  光合波器
２０５、４０１、４０６、６０１、６０２、６１４、６１５、６１６、８０１、８１１、８１２、８１３  光増幅器
２０６、４０７、６０５、８０２  ＳＡ
２０７、２０８、４０８、４０９、６０６、６０７、６１２、８０３、８０４、８０９、１００２、１００３、１２０２、１２０３、１４０１、１４０２  ＣＰＵ
２０９、４１０  記憶媒体
２１０、４１１  光ファイバ
４０２、６０３、６１７、８１４  光分波器
６０４−１、６０４−２、６０４−ｎ  Ｒｘ
６０８、６０９、６１０、６１１、８０５、８０６、８０７、８０８  ＯＳＣ
【図１】
2006101470.tif 000003
【図２】
2006101470.tif 000004
【図３】
2006101470.tif 000005
【図４】
2006101470.tif 000006
【図５】
2006101470.tif 000007
【図６】
2006101470.tif 000008
【図７】
2006101470.tif 000009
【図８】
2006101470.tif 000010
【図９】
2006101470.tif 000011
【図１０】
2006101470.tif 000012
【図１１】
2006101470.tif 000013
【図１２】
2006101470.tif 000014
【図１３】
2006101470.tif 000015
【図１４】
2006101470.tif 000016
【図１５】
2006101470.tif 000017